(57)【要約】【課題】  横長形状の貯湯タンクと接続するように構成させることで、狭小敷地であっても給湯装置の設置が可能な貯湯式給湯装置を実現する。【解決手段】  タンクユニット１０と、タンク下方部より取り入れた水を加熱してタンク上方部に送るヒートポンプユニット２０と、タンクユニット１０から蓄えられた給湯水を導いて給湯温度に調節して給湯個所に供給する給湯水供給手段５０と、タンク下方部に水を供給する給水供給手段４０とを備える貯湯式給湯装置において、タンクユニット１０は、体格が横長形状に形成されるとともに、タンクユニット１０の貯湯機能に必要とする減圧逆止弁４２、空気逃がし弁５２を給湯水供給手段５０および給水供給手段４０の少なくともいずれか一方に構成し、ヒートポンプユニット２０、給湯水供給手段５０および給水供給手段４０と別体で設置するように接続される。これにより、狭小敷地であっても給湯装置の設置ができる。【選択図】        図２
2005147521.tif 000002
【特許請求の範囲】
【請求項１】
給湯水を蓄える貯湯タンク（１０）と、
ヒートポンプサイクルからなり前記貯湯タンク（１０）の下方部より取り入れた水を加熱して前記貯湯タンク（１０）の上方部に送る加熱手段（２０）と、
前記貯湯タンク（１０）から蓄えられた給湯水を導いて所望する給湯温度に調節して必要給湯個所に供給する給湯水供給手段（５０）と、前記給湯水供給手段（５０）からの出湯により前記貯湯タンク（１０）内の下方部に水を供給する給水供給手段（４０）とを備える貯湯式給湯装置において、
前記貯湯タンク（１０）は、体格が横長形状に形成されるとともに、前記貯湯タンク（１０）の貯湯機能に必要とするメンテナンス用機能手段（４２、５２、６０）を前記給湯水供給手段（５０）および前記給水供給手段（４０）の少なくともいずれか一方に構成し、前記加熱手段（２０）、前記給湯水供給手段（５０）および前記給水供給手段（４０）と別体で設置するように接続されることを特徴とする貯湯式給湯装置。
【請求項２】
前記貯湯タンク（１０）は、少なくとも住宅の隠蔽空間に設置されることを特徴とする請求項１に記載の貯湯式給湯装置。
【請求項３】
前記メンテナンス用機能手段（４２、５２）は、前記貯湯タンク（１０）内の内部圧力を所定圧以下に保つ減圧弁、圧力逃がし弁などの圧力調整用機能部品類（４２、５２）であって、前記圧力調整用機能部品類（４２、５２）は、前記給湯水供給手段（５０）および前記給水供給手段（４０）の少なくともいずれか一方に構成されることを特徴とする請求項１または請求項２に記載の貯湯式給湯装置。
【請求項４】
前記メンテナンス用機能手段（６０）は、前記貯湯タンク（１０）内の給湯水を必要に応じて排水する排水手段（６０）であって、前記排水手段（６０）は、前記給湯水供給手段（５０）および前記給水供給手段（４０）の少なくともいずれか一方に構成されることを特徴とする請求項１ないし請求項３のいずれか一項に記載の貯湯式給湯装置。
【請求項５】
前記給湯水供給手段（５０）と前記給水供給手段（４０）とは、一体に構成して前記貯湯タンク（１０）と別体で設置するように接続されることを特徴とする請求項１ないし請求項４のいずれか一項に記載の貯湯式給湯装置。
貯湯式給湯装置。
【請求項６】
前記加熱手段（２０）は、冷媒が二酸化炭素であることを特徴とする請求項１ないし請求項５のいずれか一項に記載の貯湯式給湯装置。
【発明の詳細な説明】
【技術分野】
【０００１】
本発明は、ヒートポンプサイクルからなる加熱手段により加熱された給湯水を蓄える貯湯タンクを備える貯湯式給湯装置に関するものであり、特に、横長形状にした貯湯タンクに付設されるメイテナンス用機能部品類の構成に関する。
【背景技術】
【０００２】
従来、住宅の美観が損なうなどの理由により一般的な縦長形状の貯湯タンクを設置できない場所に設置するために、高さ方向に比べて横方向に長い形状、つまり、横長形状に形成された貯湯タンクと外部加熱方式の加熱手段とを組み合わせた貯湯式給湯装置として、例えば、特許文献１に示すような給湯システムが知られている。この貯湯式給湯装置では、横長形状をした貯湯タンクと、この貯湯タンクの下方部より取り入れた水を加熱して貯湯タンクの上方部に送る加熱手段とを備えるとともに、貯湯タンクの底部には、利用者が給湯水を使用すると使用した給湯水に相当する水が貯湯タンク内に流れ込むのを、タンク下方に向けて形成された複数の排水孔を有する給水具を貯湯タンクの長手方向に配設させている。
【０００３】
つまり、タンク上方部に蓄えられた高温の給湯水を使い切るように、給水具から供給される水が混合層を乱すことなく、貯湯タンク内の湯の層を均一に上方へ押し上げるように供給されるように構成している。これにより、横長形状の貯湯タンクであっても一般的な縦長形状の貯湯タンクと同じように、タンクの上方部に高温の給湯水を蓄えるとともに、この高温の給湯水から使い切ることができるようにしている（例えば、特許文献１参照。）。
【特許文献１】特開２００２−２８６２９１号公報
【発明の開示】
【発明が解決しようとする課題】
【０００４】
しかしながら、上記特許文献１によれば、横長形状の貯湯タンクは、概して縦長形状の貯湯タンクに比べて設置床面積が大きくなる。従って、住宅の外回りと、その住宅に隣接する道路や隣家の境界との間の狭い敷地を有する利用者への貯湯式給湯装置の設置が困難である。
【０００５】
しかも、上記特許文献１では、詳しくは記載されていないが、この種の貯湯式給湯装置では、加熱手段他に、少なくとも貯湯タンクから蓄えられた給湯水を導いて所望する給湯温度に調節して必要給湯個所に供給する給湯水供給手段、貯湯タンク内の下方部に水を供給する給水供給手段、および貯湯タンクの貯湯機能に必要とするメンテナンス用機能手段とからなる機能部品類があって、一般的に、これらの機能部品類が一般的に貯湯タンクに一体に構成されている。従って、これらの機能部品類をメンテナンスするためのサービススペースも要求されるので住宅が密集する都市部などにみられる狭小敷地では設置床面積が大きくなるとこの種の給湯装置の設置が困難である。
【０００６】
ところで、発明者は高さ方向の寸法が低くできる横長形状の貯湯タンクは、例えば、住宅内の床下などの隠蔽空間に貯湯タンクのみを隠蔽空間に設置して、貯湯タンクに付設されるその他の機能部品類を分離してサービス性の良好な場所に設置するようにすれば、装置全体の設置床面積のうち、貯湯タンク分の床面積を低減することができるので、狭小敷地であってもこの種の給湯装置の設置が可能となることを見出した。
【０００７】
そこで、本発明の目的は、上記点を鑑みたものであり、貯湯タンクに付設される機能部品類を分離して横長形状の貯湯タンクと接続するように構成させることで、狭小敷地であっても給湯装置の設置が可能な貯湯式給湯装置を提供することにある。
【課題を解決するための手段】
【０００８】
上記、目的を達成するために、請求項１ないし請求項６に記載の技術的手段を採用する。すなわち、請求項１に記載の発明では、給湯水を蓄える貯湯タンク（１０）と、ヒートポンプサイクルからなり貯湯タンク（１０）の下方部より取り入れた水を加熱して貯湯タンク（１０）の上方部に送る加熱手段（２０）と、貯湯タンク（１０）から蓄えられた給湯水を導いて所望する給湯温度に調節して必要給湯個所に供給する給湯水供給手段（５０）と、この給湯水供給手段（５０）からの出湯により貯湯タンク（１０）内の下方部に水を供給する給水供給手段（４０）とを備える貯湯式給湯装置において、
貯湯タンク（１０）は、体格が横長形状に形成されるとともに、貯湯タンク（１０）の貯湯機能に必要とするメンテナンス用機能手段（４２、５２、６０）を給湯水供給手段（５０）および給水供給手段（４０）の少なくともいずれか一方に構成し、加熱手段（２０）、給湯水供給手段（５０）および給水供給手段（４０）と別体で設置するように接続されることを特徴としている。
【０００９】
請求項１に記載の発明によれば、一般的に、貯湯タンク（１０）に付設されるメンテナンス用機能手段（４２、５２、６０）、加熱手段（２０）、給湯水供給手段（５０）および給水供給手段（４０）と別体で設置するように接続されることにより、特に、設置床面積が大きい貯湯タンク（１０）のみを住宅屋内に設置できるため、屋外では貯湯タンク（１０）を除く設置床面積を確保できれば良いため狭小敷地であっても給湯装置の設置が可能である。また、貯湯タンク（１０）に付設されるメンテナンス用機能手段（４２、５２、６０）が別体で設置されることにより、メンテナンス時におけるサービス性の低下の恐れはない。
【００１０】
請求項２に記載の発明では、貯湯タンク（１０）は、少なくとも住宅の隠蔽空間に設置されることを特徴としている。請求項２に記載の発明によれば、住宅の隠蔽空間、つまり、屋内床下部等の空間に設置されることにより、給湯装置全体の設置床面積の大部分を占める貯湯タンク（１０）分を屋外の設置床面積から実質低減できることで、狭小敷地であっても給湯装置の設置が可能となる。
【００１１】
請求項３に記載の発明では、メンテナンス用機能手段（４２、５２）は、貯湯タンク（１０）内の内部圧力を所定圧以下に保つ減圧弁、圧力逃がし弁などの圧力調整用機能部品類（４２、５２）であって、圧力調整用機能部品類（４２、５２）は、給湯水供給手段（５０）および給水供給手段（４０）の少なくともいずれか一方に構成されることを特徴としている。請求項３に記載の発明によれば、貯湯タンク（１０）が住宅の隠蔽空間に設置されても、減圧弁、圧力逃がし弁などの圧力調整用機能部品類（４２、５２）のメンテナンスが容易にできる。これにより、サービス性を低下させることはない。
【００１２】
請求項４に記載の発明では、メンテナンス用機能手段（６０）は、貯湯タンク（１０）内の給湯水を必要に応じて排水する排水手段（６０）であって、排水手段（６０）は、給湯水供給手段（５０）および給水供給手段（４０）の少なくともいずれか一方に構成されることを特徴としている。
【００１３】
請求項４に記載の発明によれば、縦長形状のタンクにおいては、高さ方向に形成される水頭圧による自然落下による排水を設けることが容易であるが、貯湯タンク（１０）が敷地内に設けられる雨水マスなどに対して水頭の高低差が設けられないような設置の時には、自然落下では確実な排水が得られないことがある。そこで、本発明では、必要に応じて排水する排水手段（６０）として、例えば、排水ポンプなどで強制的に排水するように別体で構成することで必要に応じて貯湯タンク（１０）内を排水させることができる。
【００１４】
請求項５に記載の発明では、給湯水供給手段（５０）と給水供給手段（４０）とは、一体に構成して貯湯タンク（１０）と別体で設置するように接続されることを特徴としている。請求項５に記載の発明によれば、一体に構成して貯湯タンク（１０）と別体で設置するように接続されることにより、例えば、住宅の外壁面に設置するように一体に構成すれば、メンテナンス時のサービス性が低下されることなく、狭小敷地であっても給湯装置の設置が可能となる。
【００１５】
請求項６に記載の発明では、加熱手段（２０）は、冷媒が二酸化炭素であることを特徴としている。請求項６に記載の発明によれば、二酸化炭素を用いる加熱手段（２０）は、超臨界ヒートポンプサイクルであるため、貯湯タンク（１０）に蓄えられる給湯水を高温（例えば、８５〜９０℃程度）にすることができるとともに、周知のフロン、代替フロンの冷媒を用いたヒートポンプサイクルよりも貯湯タンク（１０）の容量を小型にできる。従って、横長形状に形成しても周知のフロン、代替フロンの冷媒を用いたヒートポンプサイクルよりも設置床面積を小さくすることができる。さらに、加熱手段（２０）においても設置床面積を小さくすることができる。
【００１６】
なお、上記各手段の括弧内の符号は、後述する実施形態の具体的手段との対応関係を示すものである。
【発明を実施するための最良の形態】
【００１７】
以下、本発明の一実施形態による貯湯式給湯装置を図１および図２に基づいて説明する。図１は本発明を適用させた貯湯式給湯装置の設置形態を示す模式図であり、図２は貯湯式給湯装置の全体構成を示す模式図である。本実施形態の貯湯式給湯装置は、設置床面積の大きい貯湯タンクを住宅の隠蔽個所である、例えば、屋内床下部に設置することにより、住宅の外回りと、その住宅に隣接する道路や隣家の境界との間が狭い敷地（以下、狭小敷地と称する。）を有する利用者であっても、貯湯式給湯装置の設置が可能としたものである。
【００１８】
具体的には、図１に示すように、貯湯式給湯装置は、貯湯タンクであるタンクユニット１０と加熱手段であるヒートポンプユニット２０と詳しくは後述する制御ユニット３０とから構成されており、タンクユニット１０を住宅の隠蔽空間である屋内床下部に、ヒートポンプユニット２０を住宅の外壁に面する軒下部に、制御ユニット３０を住宅の外壁面に、それぞれを分離させて別体で設置させたものである。また、ヒートポンプユニット２０は、タンクユニット１０と循環水回路２１により接続され、制御ユニット３０は、給水供給手段４０、給湯水供給手段５０、排水手段６０などの接続配管により接続されている。
【００１９】
本実施形態のタンクユニット１０は、高さ方向に比べて横方向に長い形状、つまり、横長形状に形成された給湯水を蓄える貯湯容器であり、耐食性に優れた金属製（例えば、ステンレス製）からなるタンク本体１１、およびタンク本体１１の外周部に断熱部材１２が配設させて高温の給湯水を長時間に渡って保温することができるようになっている。
【００２０】
そして、タンク本体１１には、図２に示すように、下方部には導入口１１ａ、および排水口１１ｂが設けられ、この導入口１１ａは、タンク本体１１内に水道水を導入する給水供給手段４０を構成する給水配管４１に、排水口１１ｂはタンク本体１１内の給湯水を必要に応じて排水する排水手段６０を構成する排水配管６１に接続されている。なお、この排水配管６１の上流側には分岐部６１ａが設けられ、この分岐部６１ａに循環水回路２１の一方が接続されており、ヒートポンプユニット２０のタンク本体１１内の水を吸い込む吸込口となっている。
【００２１】
一方、タンク上方部には導出口１１ｃ、および吐出口１１ｄが設けられ、この導出口１１ｃはタンク本体１１内の給湯水を導出するための給湯水供給手段５０を構成する給湯配管５１に、吐出口１１ｄは、ヒートポンプユニット２０から加熱された給湯水を吐出する循環水回路２１に接続されている。なお、導入口１１ａには、図示しない給水具が設けられており、給水具から供給される水道水がタンク上方部に蓄えられた高温の給湯水を使い切るように、水道水と給湯水が混合する混合層を乱すことなく、タンク本体１１内の給湯水の層を均一に上方へ押し上げるように供給されるように構成している。
【００２２】
さらに、タンク本体１１の上部外壁面には、タンク本体１１内上部の湯温を検出する出湯サーミスタ３３ａが設けられており、導出口１１ｃから導出される水の温度情報を後述する制御装置３００に出力するようになっている。また、タンク本体１１の外壁面には、複数の水位サーミスタ３３ｂ、３３ｃが縦方向にほぼ等間隔に配置され、タンク本体１１内に満たされた水の各水位レベルでの温度情報を後述する制御装置３００に出力するようになっている。従って、後述する制御装置３００は、水位サーミスタ３３ｂ、３３ｃからの温度情報に基づいて、タンク本体１１内上方の沸き上げられた湯とタンク本体１１内下方の沸き上げられる前の水との温度境界位置を検出できるようになっている。
【００２３】
次に、ヒートポンプユニット２０は、ヒートポンプサイクルからなり、タンク本体１１の下方部より取り入れた水を加熱してタンク本体１１の上方部に送る加熱手段であり、循環水回路２１内の途中に図示しない熱交換器が設けられており、分岐部６１ａから吸入したタンク本体１１内の水を高温冷媒との熱交換により加熱し、吐出口１１ｄからタンク本体１１内に戻すことによりタンク本体１１内の水を沸き上げることができるようになっている。
【００２４】
なお、本実施形態のヒートポンプユニット２０は、図示しない圧縮機、凝縮器、減圧器、蒸発器などのヒートポンプサイクルを構成する冷媒機能部品からなる超臨界ヒートポンプである。この超臨界ヒートポンプとは、高圧側の冷媒圧力が冷媒の臨界圧力以上となるヒートポンプサイクルを言い、例えば、二酸化炭素、エチレン、エタン、酸化窒素などを冷媒とするヒートポンプサイクルである。因みに、超臨界ヒートポンプによれば、一般的なヒートポンプサイクルよりも高温（例えば、８５℃〜９０℃程度）の給湯水を沸き上げることができる。また、ヒートポンプユニット２０は後述する制御装置３００からの制御信号により作動するとともに、作動状態を制御装置３００に出力するようになっている。
【００２５】
次に、本発明の要部である制御ユニット３０は、タンク本体１１側に付設されていた機能部品類を取り出して一つの筐体に構成したものであり、給水供給手段４０、給湯水供給手段５０、排水手段６０、制御装置３００などから構成されている。給水供給手段４０は、タンクユニット２０に水道水を給水するとともに、高温の給湯水を所望する給湯温度に温度調節用に後述する混合弁５３に水道水を給水するものであり、上流端が図示しない給水元に接続され、下流端がタンク本体１１の導入口１１ａと混合弁５３に接続される給水配管４１と、この給水配管４１に導入される水道水の水圧が所定圧となるように調節するとともに、断水などにおける湯の逆流を防止する減圧逆止弁４２とから構成されている。
【００２６】
また、減圧逆止弁４２の上流側には温度検出手段である給水サーミスタ３１が設けられており、給水配管４１内の温度情報を後述する制御装置３００に出力するようになっている。なお、減圧逆止弁４２は請求項で称するメンテナンス用機能手段であって、タンク本体１１内の内部圧力が所定圧以下に保つための圧力調整用機能部品であり、メンテナンス時に操作し易いように、タンクユニット１０より分離させて制御ユニット３０内に構成している。
【００２７】
給湯水供給手段５０は、タンクユニット１０から蓄えられた給湯水を導いて所望する給湯温度に調節して必要給湯個所に供給するものであり、上流端がタンク本体１１の導出口１１ｃに接続され、下流端が所望する給湯温度に調節された給湯水を供給するように接続された給湯配管５１と、この給湯配管５１の途中に空気逃がし弁５２が配設された排出配管５１ｃと、湯水混合手段である混合弁５３と、末端が図示しない給湯栓に導くための配管５１ａと、末端が風呂にお湯張りするための給湯栓に導くための配管５１ｂなどから構成される。
【００２８】
排出配管５１ｃに設けられた空気逃がし弁５２は、タンクユニット１０内の圧力が所定圧以上に上昇した場合には、タンク本体１１内の湯を外部に排出して、タンク本体１１等にダメージを与えないようにする圧力調整用機能部品であり、減圧逆止弁４２と同様に請求項で称するメンテナンス用機能手段である。混合弁５３はタンク本体１１から導出される給湯水（温水）と給水配管４１から供給される水道水（冷水）とを混合させて、混合弁５３出口側の給湯水の湯温が所望する給湯温度になるようにしている。なお、混合弁５３はサーボモータ等の駆動源により弁体を駆動して各経路の開度を調節する電動弁であり、後述する制御装置３００からの制御信号により作動するとともに、作動状態を制御装置３００に出力するようになっている。
【００２９】
そして、この混合弁５３の出口側には、混合湯経路である配管５１ａとその配管５１ａから分岐した配管５１ｂとが接続されている。一方の配管５１ａは図示しない給湯栓、やシャワー水栓等へ混合された給湯水を導く配管であり、他方の配管５１ｂは末端がお風呂に給湯する図示しない給湯栓に導く配管である。そして、配管５１ａには温度検出手段である給湯サーミスタ３２と給湯検出手段である流量カウンタ５５が設けられており、この給湯サーミスタ３２は配管５１ａ内の温度情報を、流量カウンタ５５は配管５１ａ内の流量情報を後述する制御装置３００に出力するようになっている。
【００３０】
なお、流量カウンタ５５が配管５１ａ内の水の流れを検出したときには、給湯水栓、シャワー水栓等のいずれかで湯が使用されようとしていることである。このとき制御装置３００は、給湯設定温度に応じて、まず給水サーミスタ３１からの温度情報と出湯サーミスタ３３ａからの温度情報とから混合弁５１の開口面積比を概略調節し、その後給湯サーミスタ３２からの温度情報に基づいて給湯温度が設定温度となるようにフィードバックさせて混合弁５１の開口面積比を微細制御するようになっている。
【００３１】
一方、配管５１ｂには、お湯張り弁５４および図示しない流量カウンタが設けられており、これらは後述する制御装置３００により制御され、配管５１ｂに流れる混合湯を所定量出湯させる開閉弁である。つまり、流量カウンタの流量情報に基づいて設定した所定量のお湯張りまたはさし湯が行なえるようになっている。また、排水手段６０は、タンクユニット１０内の給湯水を必要に応じて排水するものであり、排水配管６１、開閉弁６２および排水ポンプ６３から構成され、開閉弁６２を開放し排水ポンプ６３を作動させることでタンク本体１１内の給湯水を排水する。なお、排水手段６０は、排水ポンプ６３が請求項で称するメンテナンス用機能手段であって、タンク本体１１の近傍に付設するよりも分離させて制御ユニット３０内に構成させている。
【００３２】
次に、制御装置３００は、各サーミスタ３１、３２、３３ａ〜３３ｃからの温度情報、流量カウンタ５５からの流量情報および図示しない操作盤に設けられた操作スイッチからの操作信号等に基づいて、ヒートポンプユニット２０、混合弁５１、湯張り弁５４、排水ポンプ３３等を制御するように構成されている。また、制御装置３００には、マイクロコンピュータを主体として構成され、内蔵のＲＯＭ（図示せず）には、予め設定された制御プログラムが設けられており、この制御プログラムによりヒートポンプユニット２０、混合弁５１、湯張り弁５４、排水ポンプ３３等を制御するものである。なお、図示しない操作盤には、操作スイッチとして、電源スイッチ、給湯設定温度スイッチ、湯張りスイッチなどが設けられている。また、図示しない操作盤は、浴室内や台所等の湯を使用する場所の近傍に設置されている。
【００３３】
次に、以上の構成による貯湯式給湯装置の作動について説明する。まず、図示しない電源スイッチがオンされると、制御装置３００は、ヒートポンプユニット２０を制御させて通常の温調給湯制御を行なう。この温調給湯制御が実行されると、制御装置３００は、タンク本体に１１に設けられた各サーミスタ３１、３２、３３ａ〜３３ｃからの温度情報等や、図示しない操作盤により設定された時刻情報等に基づいて、適宜ヒートポンプサイクルを作動させタンク本体１１内の水を加熱して高温（例えば８５℃の湯）の給湯水を蓄えておく。
【００３４】
そして、給湯栓のいずれかが開弁されると、混合弁５１によりタンクユニット１０から供給される高温の給湯水と給水配管４１から供給される水道水とを混合させて給湯設定温度スイッチにより設定された温度の給湯水が給湯栓から給湯される。このときに、タンクユニット１０から供給された給湯水の代わりに、給水配管４１からタンクユニット１０の下方部に水道水が供給されるが、上述したように、タンクユニット１０の下方部に供給される水道水は、タンク本体１１内に形成される水道水と給湯水が混合する混合層を乱すことなく、タンク本体１１内の給湯水の層を均一に上方へ押し上げるように供給されるため、上方部の給湯水を使い切るまで給湯水供給手段５０に出湯できる。
【００３５】
なお、制御ユニットには、給水供給手段４０、給湯水供給手段５０、排水手段６０、制御装置３００およびメンテナンス用機能手段を一体に構成させて住宅の外壁面に設置したことにより、これらの機能部品が不具合を起こしたときとか、メンテナンスのときに、操作、サービス性が良好となっている。また、ヒートポンプユニット２０においても同様である。
【００３６】
以上の一実施形態の貯湯式給湯装置によれば、一般的には、タンクユニット１０の近傍に付設されるメンテナンス用機能部品類である減圧逆止弁４２、空気逃がし弁５２や給湯水供給手段５０および給水供給手段４０をタンクユニット１０と別体で設置するように接続されることにより、特に、設置床面積が大きいタンクユニット１０のみを住宅屋内に設置できるため、屋外ではタンクユニット１０を除く設置床面積を確保できれば良いため狭小敷地であっても給湯装置の設置が可能である。しかも、減圧逆止弁４２、空気逃がし弁５２などのメンテナンス用機能部品類を制御ユニット３０に構成したことにより、メンテナンス時におけるサービス性の低下の恐れはない。
【００３７】
タンクユニット１０は、少なくとも住宅の隠蔽空間の屋内床下部に設置されることにより、給湯装置全体の設置床面積の大部分を占めるタンクユニット１０分を屋外の設置床面積から実質低減できることで、狭小敷地であっても給湯装置の設置が可能となる。
【００３８】
また、隠蔽空間に設置されたタンクユニット１０内の給湯水を必要に応じて排水する排水手段６０を設けることにより、従来の縦長形状のタンクにおいては、高さ方向に形成される水頭圧による自然落下による排水を設けることが容易であるが、タンクユニット１０が敷地内に設けられる雨水マスなどに対して水頭の高低差が設けられないような設置の時には、自然落下では確実な排水が得られないことがある。そこで、本発明では、必要に応じて排水する排水手段６０として、例えば、排水ポンプ６３などで強制的に排水するように別体で構成することで必要に応じてタンクユニット１０内を排水させることができる。
【００３９】
また、給湯水供給手段５０と給水供給手段４０とは、一体に構成して、タンクユニット１０と別体で設置するように接続されることにより、例えば、住宅の外壁面に設置するように一体に構成すれば、メンテナンス時のサービス性が低下されることなく、狭小敷地であっても給湯装置の設置が可能となる。
【００４０】
また、ヒートポンプユニット２０は、冷媒が二酸化炭素であることにより、冷媒に二酸化炭素を用いるヒートポンプサイクルは、超臨界ヒートポンプサイクルであるため、タンクユニット１０に蓄えられる給湯水を高温（例えば、８５〜９０℃程度）にすることができるとともに、周知のフロン、代替フロンの冷媒を用いたヒートポンプサイクルよりもタンクユニット１０の容量を小型にできる。従って、横長形状に形成しても周知のフロン、代替フロンの冷媒を用いたヒートポンプサイクルよりも設置床面積を小さくすることができる。さらに、ヒートポンプユニット２０においても設置床面積を小さくすることができる。
【００４１】
（他の実施形態）
以上の一実施形態では、冷媒に二酸化炭素を用いたヒートポンプユニット２０を熱源装置として説明したが、これに限らず、フロン、代替フロンなどの冷媒を用いる一般的なヒートポンプサイクルでも良い。
【００４２】
また、以上の実施形態では、タンクユニット１０を屋内床下部に設置したが、これに限らず、家屋に形成された倉庫、住宅に形成された収納庫などの隠蔽空間に設置しても良い。また、以上の実施形態では、排水手段６０を制御ユニット３０内に一体に構成させたが、これに限らず、別体に構成させても良い。
【図面の簡単な説明】
【００４３】
【図１】本発明の一実施形態における貯湯式給湯装置の設置形態を示す模式図である。
【図２】本発明の一実施形態における貯湯式給湯装置の全体構成を示す模式図である。
【符号の説明】
【００４４】
１０…タンクユニット（貯湯タンク）
２０…ヒートポンプユニット（加熱手段）
４０…給水供給手段
４２…減圧逆止弁（メンテナンス用機能手段）
５０…給湯水供給手段
５２…空気逃がし弁（メンテナンス用機能手段）
６０…排水手段（メンテナンス用機能手段）
【図１】
2005147521.tif 000003
【図２】
2005147521.tif 000004